(57)【要約】      （修正有）【課題】使用者の体位や体形に応じて様々な部位に発症し得る床ずれを防止し、又は抑制することができるエアマットレス等を提供する。【解決手段】エアマットレスは、可撓性を有する樹脂材料からなるシート材により形成され、内部にエアを封入することにより筒状に膨張する第１のセルと、可撓性を有する樹脂材料からなるシート材により形成され、内部にエアを封入することにより筒状に膨張する第２及び第３のセルであって、第１のセルの外周面のうち、当該エアマットレスにおいて上面側となる領域に、第１のセルと平行且つ互いに隣り合うように取り付けられた第２及び第３のセルと、を有する積層エアセルを含む複数のエアセルを備え、複数の積層エアセルが、当該エアマットレスの少なくとも一部の領域に、該エアマットレスの長手方向と平行に並設されているものである。【選択図】図１
2019136202.tif 000002
【特許請求の範囲】
【請求項１】
可撓性を有する樹脂材料からなるシート材により形成され、内部にエアを封入することにより筒状に膨張する第１のセルと、
可撓性を有する樹脂材料からなるシート材により形成され、内部にエアを封入することにより筒状に膨張する第２及び第３のセルであって、前記第１のセルの外周面のうち、当該エアマットレスにおいて上面側となる領域に、前記第１のセルと平行且つ互いに隣り合うように取り付けられた第２及び第３のセルと、
を有する積層エアセルを含む複数のエアセルを備え、
複数の前記積層エアセルが、当該エアマットレスの少なくとも一部の領域に、該エアマットレスの長手方向と平行に並設されている、エアマットレス。
【請求項２】
前記第２及び第３のセルは、該第２及び第３のセルの長手方向に沿って設けられた略線状の領域において前記第１のセルに取り付けられている、請求項１に記載のエアマットレス。
【請求項３】
前記第２及び第３のセルは、前記シート材を袋状に成形した袋体により一体的に形成され、
前記略線状の領域は、前記袋体の短手方向の略中央部に設けられ、
前記略線状の領域において、前記袋体が前記第１のセルに接続されると共に、前記袋体が前記第２のセルをなす領域と前記第３のセルとなす領域とに分離される、
請求項２に記載のエアマットレス。
【請求項４】
前記袋体の少なくとも一部に、前記第２のセルと前記第３のセルとの間においてエアの流通を可能とするギャップ領域が設けられ、
前記第２のセルと前記第３のセルとのいずれか一方に、前記第１のセルとの間におけるエアの流通口が設けられている、
請求項３に記載のエアマットレス。
【請求項５】
前記積層エアセルは、
可撓性を有する樹脂材料からなるシート材により形成され、内部にエアを封入することにより筒状に膨張する第４及び第５のセルであって、前記第１のセルの外周面のうち、当該エアマットレスにおいて床側となる領域に、前記第１のセルと平行且つ互いに隣り合うように取り付けれた第４及び第５のセルをさらに有し、
前記第１〜第５のセルにエアが封入された際に、前記第４及び第５のセルによって前記第１、第２、及び第３のセルが支持される、
請求項１〜４のいずれか１項に記載のエアマットレス。
【請求項６】
前記第４及び第５のセルは、前記シート材を袋状に成形した第２の袋体により一体的に形成され、
前記第２の袋体は、該第２の袋体の短手方向の略中央部に長手方向に沿って設けられた略線状の領域において前記第１のセルに接続されると共に、該略線状の領域において前記第４のセルをなす領域と前記第５のセルをなす領域とに分離される、
請求項５に記載のエアマットレス。
【請求項７】
前記第２の袋体の少なくとも一部に、前記第４のセルと前記第５のセルとの間においてエアの流通を可能とするギャップ領域が設けられ、
前記第１のセルと前記第４及び第５のセルとの間において、エアの流通が遮断されている、
請求項６に記載のエアマットレス。
【請求項８】
当該エアマットレスの長手方向の略中央部から頭部側に位置する第１の領域と、前記中央部から脚部側に位置する第２の領域との各々に、複数の前記積層エアセルが、前記エアマットレスの長手方向と平行に並設され、
前記第１の領域及び前記第２の領域に前記エアマットレスの長手方向に並べられた２つの前記積層エアセルの間で、前記第１〜第３のセル内のエアが流通している、
請求項１〜７のいずれか１項に記載のエアマットレス。
【請求項９】
当該エアマットレスの長手方向の略中央部から頭部側に位置する第１の領域と、前記中央部から脚部側に位置する第２の領域との各々に、複数の前記積層エアセルが、前記エアマットレスの長手方向と平行に並設され、
前記第１及び第２の領域の各々に並設された複数の前記積層エアセルの間で、前記第４及び第５のエアセル内のエアが流通している、
請求項５〜７のいずれか１項に記載のエアマットレス。
【請求項１０】
前記第１の領域と前記第２の領域との間に位置する第３の領域に、複数の前記積層エアセルが、前記エアマットレスの短手方向と平行に並設されている、請求項８又は９に記載のエアマットレス。
【請求項１１】
当該エアマットレスの側方の端部領域に、複数の前記積層エアセルが当該エアマットレスの長手方向と平行に並設され、
前記端部領域に並設された複数の前記積層エアセルの間でエアが流通している、
請求項１〜７のいずれか１項に記載のエアマットレス。
【請求項１２】
可撓性を有する樹脂材料からなるシート材により形成され、内部にエアを封入することにより筒状に膨張する第１のセルと、
可撓性を有する樹脂材料からなるシート材により形成され、内部にエアを封入することにより筒状に膨張する第２及び第３のセルであって、前記第１のセルの外周面のうち、当該エアマットレスにおいて上面側となる領域に、前記第１のセルと平行且つ互いに隣り合うように取り付けられた第２及び第３のセルと、
を備え、
前記第２及び第３のセルは、前記シート材を袋状に成形した袋体により一体的に形成され、
前記袋体は、該袋体の短手方向の略中央部に長手方向に沿って設けられた略線状の領域において前記第１のセルに接続されると共に、該略線状の領域において前記第２のセルをなす領域と前記第２のセルをなす領域とに分離される、エアセル。
【発明の詳細な説明】
【技術分野】
【０００１】
本発明は、床ずれ（褥瘡）防止用のエアマットレス及びエアマットレスにおいて使用されるエアセルに関する。
【背景技術】
【０００２】
従来、病気や怪我、老衰などにより、寝たきり又は身体を動かすことが困難な状態の人にとって、床ずれ（褥瘡）を防止することは非常に重要である。床ずれは、多くの場合、体重を受ける骨突出部等の局所の皮膚組織が圧迫され続けることにより虚血を起こすよって発生する、局所の皮膚圧迫潰瘍のことである。
【０００３】
床ずれ防止用のエアマットレスには、通常のマットレスの上に重ねて使用するタイプ（オーバーレイタイプとも呼ばれる）や、通常のマットレスと入れ替えて使用するタイプ（リプレイスメントタイプとも呼ばれる）がある。床ずれ防止用のエアマットレスにおいては、通常、各エアセル内の空気圧を、使用者の身体が沈み込む程度に低圧に維持することにより、身体への接触圧を低減し、床ずれ防止を図ることとしている。
【０００４】
床ずれ防止用のエアマットレスに関連する技術として、例えば特許文献１には、細長い袋状に成形されたエアセルにエアを封入し、ベッドの長手方向と直交する向きに複数本並設したエアマット装置が開示されている。また、特許文献２には、複数本の袋状のエアセルをベッドの長手方向に沿って並設したエアマット装置が開示されている。
【０００５】
また、マットレスが載置されるベッドフレームの分野においては、ベッドボトムの頭側の領域を立ち上げる「背上げ機能」や、背上げした際の身体のずり下がりを防止するため、膝部分のベッドボトムを山型に立ち上げる「膝上げ機能」が設けられた機種がある。なお、このような機種は、介護保険の適用のある「特殊寝台」に分類される。
【先行技術文献】
【特許文献】
【０００６】
【特許文献１】特開２００１−２３８７０６号公報
【特許文献２】特開２００２−１２６０１３号公報
【発明の概要】
【発明が解決しようとする課題】
【０００７】
床ずれは、主に体圧が集中する部位に発症する。例えば、使用者が仰臥位を取っている場合には、仙骨部に床ずれが発症し易い。これに対し、仰臥位から背上げを行い、背上げの角度が大きくなると尾骨部に床ずれが発症し易くなる。また、側臥位では、大転子部や外踝部などの骨突出部に床ずれが発症し易い。要介護高齢者のように、長期の療養によって拘縮やるい痩（脂肪の減少）が発生した患者の場合、床ずれの好発部位（骨突出部）はさらに多様になる。
【０００８】
しかしながら、従来のエアマットレスにおいては、使用者が主に仰臥位を取ることが前提とされており、使用者が仰臥位以外の体位を取った場合に発症し得る床ずれについては、あまり考慮されていない。具体的には、従来においては、エアマットレスの内圧を低圧に保持して躯幹部全体をエアマットレスに沈み込ませることにより、仰臥位を取ったときに圧迫される仙骨部への接触圧を低減している。ところが、低圧に保持されたエアマットレスにおいて使用者が例えば側臥位を取り、大転子や外踝部などの骨突出部がエアマットレスに直接乗せられると、骨突出部がエアセルに局所的に沈み込み、エアセル表面のシート部分で骨突出部を吊り下げている状態になってしまう。この状態は、ハンモック現象とも呼ばれる。ハンモック現象は当該骨突出部に体圧が集中している状態であるため、床ずれが発症するおそれがある。
【０００９】
また、従来、床ずれ防止の観点から、仰臥位で背上げをする場合に、身体の下方へのずれや仙骨部への圧迫を最小限にするために、背上げの角度を３０度以下に制限することが推奨されている（参考：一般社団法人日本褥瘡学会ホームページ  ＜http://www.jspu.org/jpn/journal/yougo3.html#30＞）。これは、３０度ルールとも呼ばれる。他方、近年では、急性期におけるリハビリテーションや、血圧などの体調管理、誤嚥防止といった観点から、３０度に留まらず、積極的に背上げすることも推奨されている。
【００１０】
この点に関し、ベッドフレームについては、背上げの角度を３０度以下に制限せず、積極的な背上げに対応する特殊寝台が存在する。しかしながら、エアマットレスについては、現在のところ、従来の３０度ルールに対応する製品しか市販されていない。そのため、内圧を低圧に保持する従来のエアマットレスを使用して３０度を超える背上げをした場合、上半身の体重が臀部に集中し、ハンモック現象により床ずれが生じてしまうおそれがある。これに加え、エアマットレスの表面がさらに沈み、エアマットレスの底に到達する、所謂底付きが発生するおそれもある。底付きは、使用者の身体がベッドフレームの硬い床面にエアマットレスの薄いシートを介して当たっている状態なので、床ずれ防止機能が喪失している状態となり、使用者の安全性の観点から好ましくない。
【００１１】
このように、従来のエアマットレスにおいては、使用者の体位や体形に応じて様々な部位に発症し得る床ずれを防止し、又は抑制することが困難であった。
【００１２】
本発明は上記に鑑みてなされたものであり、使用者の体位や体形に応じて様々な部位に発症し得る床ずれを防止し、又は抑制することができるエアマットレス及びエアセルを提供することを目的とする。
【課題を解決するための手段】
【００１３】
上記課題を解決するために、本発明の一態様であるエアマットレスは、可撓性を有する樹脂材料からなるシート材により形成され、内部にエアを封入することにより筒状に膨張する第１のセルと、可撓性を有する樹脂材料からなるシート材により形成され、内部にエアを封入することにより筒状に膨張する第２及び第３のセルであって、前記第１のセルの外周面のうち、当該エアマットレスにおいて上面側となる領域に、前記第１のセルと平行且つ互いに隣り合うように取り付けられた第２及び第３のセルと、を有する積層エアセルを含む複数のエアセルを備え、複数の前記積層エアセルが、当該エアマットレスの少なくとも一部の領域に、該エアマットレスの長手方向と平行に並設されているものである。
【００１４】
上記エアマットレスにおいて、前記第２及び第３のセルは、該第２及び第３のセルの長手方向に沿って設けられた略線状の領域において前記第１のセルに取り付けられていても良い。
【００１５】
上記エアマットレスにおいて、前記第２及び第３のセルは、前記シート材を袋状に成形した袋体により一体的に形成され、前記略線状の領域は、前記袋体の短手方向の略中央部に設けられ、前記略線状の領域において、前記袋体が前記第１のセルに接続されると共に、前記袋体が前記第２のセルをなす領域と前記第３のセルとなす領域とに分離されても良い。
【００１６】
上記エアマットレスにおいて、前記袋体の少なくとも一部に、前記第２のセルと前記第３のセルとの間においてエアの流通を可能とするギャップ領域が設けられ、前記第２のセルと前記第３のセルとのいずれか一方に、前記第１のセルとの間におけるエアの流通口が設けられていても良い。
【００１７】
上記エアマットレスにおいて、前記積層エアセルは、可撓性を有する樹脂材料からなるシート材により形成され、内部にエアを封入することにより筒状に膨張する第４及び第５のセルであって、前記第１のセルの外周面のうち、当該エアマットレスにおいて床側となる領域に、前記第１のセルと平行且つ互いに隣り合うように取り付けれた第４及び第５のセルをさらに有し、前記第１〜第５のセルにエアが封入された際に、前記第４及び第５のセルによって前記第１、第２、及び第３のセルが支持されても良い。
【００１８】
上記エアマットレスにおいて、前記第４及び第５のセルは、前記シート材を袋状に成形した第２の袋体により一体的に形成され、前記第２の袋体は、該第２の袋体の短手方向の略中央部に長手方向に沿って設けられた略線状の領域において前記第１のセルに接続されると共に、該略線状の領域において前記第４のセルをなす領域と前記第５のセルをなす領域とに分離されても良い。
【００１９】
上記エアマットレスにおいて、前記第２の袋体の少なくとも一部に、前記第４のセルと前記第５のセルとの間においてエアの流通を可能とするギャップ領域が設けられ、前記第１のセルと前記第４及び第５のセルとの間において、エアの流通が遮断されていても良い。
【００２０】
上記エアマットレスにおいて、当該エアマットレスの長手方向の略中央部から頭部側に位置する第１の領域と、前記中央部から脚部側に位置する第２の領域との各々に、複数の前記積層エアセルが、前記エアマットレスの長手方向と平行に並設され、前記第１の領域及び前記第２の領域に前記エアマットレスの長手方向に並べられた２つの前記積層エアセルの間で、前記第１〜第３のセル内のエアが流通していても良い。
【００２１】
上記エアマットレスにおいて、当該エアマットレスの長手方向の略中央部から頭部側に位置する第１の領域と、前記中央部から脚部側に位置する第２の領域との各々に、複数の前記積層エアセルが、前記エアマットレスの長手方向と平行に並設され、前記第１及び第２の領域の各々に並設された複数の前記積層エアセルの間で、前記第４及び第５のエアセル内のエアが流通していても良い。
【００２２】
上記エアマットレスにおいて、前記第１の領域と前記第２の領域との間に位置する第３の領域に、複数の前記積層エアセルが、前記エアマットレスの短手方向と平行に並設されていても良い。
【００２３】
上記エアマットレスにおいて、当該エアマットレスの側方の端部領域に、複数の前記積層エアセルが当該エアマットレスの長手方向と平行に並設され、前記端部領域に並設された複数の前記積層エアセルの間でエアが流通していても良い。
【００２４】
本発明の別の態様であるエアセルは、可撓性を有する樹脂材料からなるシート材により形成され、内部にエアを封入することにより筒状に膨張する第１のセルと、撓性を有する樹脂材料からなるシート材により形成され、内部にエアを封入することにより筒状に膨張する第２及び第３のセルであって、前記第１のセルの外周面のうち、当該エアマットレスにおいて上面側となる領域に、前記第１のセルと平行且つ互いに隣り合うように取り付けられた第２及び第３のセルと、を備え、前記第２及び第３のセルは、前記シート材を袋状に成形した袋体により一体的に形成され、前記袋体は、該袋体の短手方向の略中央部に長手方向に沿って設けられた略線状の領域において前記第１のセルに接続されると共に、該略線状の領域において前記第２のセルをなす領域と前記第２のセルをなす領域とに分離されるものである。
【発明の効果】
【００２５】
本発明によれば、各積層エアセルの上面側に第２及び第３のセルを設けるので、これらの第２及び第３のセルによって、身体の各部を広い面積で包み込むように保持することができる。それにより、個々の積層エアセルから受ける接触圧を低減することが可能となる。また、本発明によれば、エアマットレスの少なくとも一部の領域に、エアマットレスの長手方向と平行に積層エアセルを並設するので、この領域においては、概ね身体が伸びる方向に沿って、積層エアセルにより身体を支持することができる。それにより、積層エアセルに荷重がかかった場合であっても、当該積層エアセルにおける局所的な沈み込みを防ぐことができる。従って、使用者の体位や体形に応じて様々な部位に発症し得る床ずれを防止し、又は抑制することが可能となる。
【図面の簡単な説明】
【００２６】
【図１】本発明の第１の実施形態に係るエアマットレスを示す上面図である。
【図２】図１に示すエアマットレスの側面図である。
【図３】図１のＡ−Ａ断面図である。
【図４】図１のＢ−Ｂ断面図である。
【図５】図３に示すエアマットレスを背上げした状態を示す断面図である。
【図６】図１に示すエアマットレスにおいて使用される積層エアセルの基本的な構造を説明するための模式図である。
【図７】図６に示す積層エアセルの上面図である。
【図８】図６に示す積層エアセルの底面図である。
【図９】図６のＣ−Ｃ断面図である。
【図１０】図６のＣ−Ｃ断面図（荷重されている状態）である。
【図１１】図６に示す積層エアセルにおける体圧分散の原理を説明するための模式図である。
【図１２】図６に示す積層エアセルの製造方法の一例を説明するための断面図である。
【図１３】図６に示す積層エアセルの製造方法の一例を説明するための断面図である。
【図１４】図６に示す積層エアセルの製造方法の一例を説明するための断面図である。
【図１５】骨盤部領域及び大腿部領域の内側に配置される積層エアセルを示す上面図である。
【図１６】図１に示す頭部側及び脚部側の端部領域に配置されるエアセルの断面図である。
【図１７】本発明の第２の実施形態に係るエアマットレスを示す上面図である。
【図１８】図１のＤ−Ｄ断面図である。
【図１９】背部及び下脚部領域の内側に配置される積層エアセルの示す上面図である。
【発明を実施するための形態】
【００２７】
以下、本発明の実施の形態に係るエアマットレス及びエアセルについて、図面を参照しながら説明する。なお、以下の実施形態によって本発明が限定されるものではない。また、各図面の記載において、同一部分には同一の符号を付して示している。以下の説明において参照する図面は、本発明の内容を理解し得る程度に形状、大きさ、比率、及び位置関係を概略的に示しているに過ぎない。即ち、本発明は各図で例示された形状、大きさ、比率、及び位置関係のみに限定されるものではない。
【００２８】
（第１の実施形態）
図１は、本発明の第１の実施形態に係るエアマットレスを示す上面図である。図２は、同エアマットレスの側面図である。図３は、図１のＡ−Ａ断面図である。図４は、図１のＢ−Ｂ断面図である。図５は、図３に示すエアマットレスを背上げした状態を示す断面図である。図１〜図５に示すように、本実施形態に係るエアマットレス１は、複数の積層エアセル１０ａ〜１０ｄ及びエアセル２０を並設したものである。
【００２９】
図２〜図５に示すように、エアマットレス１は、ベッドボトム１００の上に載置して用いられる。ここで、エアマットレス１を使用可能なベッドの構成は特に限定されないが、本実施形態においては、一例として、背上げ機能及び膝上げ機能を有する特殊寝台にエアマットレス１を用いるものとする。図５に示すように、特殊寝台のベッドボトムは、ベッドの長手方向の略中央部を境界として分割され、頭部側のボトムが立ち上がる構造を有している。また、脚部側のボトムは、概ね中央部においてさらに分割され、膝部分が山型に立ち上げられる構造となっている。
【００３０】
本実施形態においては、頭部側から、背ボトム１０１、腰ボトム１０２、脚ボトム１０３、下脚ボトム１０４の４つの領域に分割されたベッドボトム１００上にエアマットレス１を載置する例を説明する。各ボトムは板状の部材であり、通気性のため、部分的にメッシュ状になっていることもある。
【００３１】
背ボトム１０１上のエアマットレスには、通常、使用者の頭部〜背部が乗せられる（図３の頭部領域及び背部領域参照）。腰ボトム１０２上のエアマットレスには、通常、使用者の背部〜腰部が乗せられる（同背部領域及び腰部領域参照）。腰ボトム１０２はさらに細かい板状に分割されており（図２〜図５においては８つの部分）、背ボトム１０１を立ち上げるとなだらかに湾曲する構造となっている。脚ボトム１０３上のエアマットレスには、通常、使用者の骨盤部〜大腿部が乗せられる（同骨盤部領域及び大腿部領域参照）。下脚ボトム１０４上のエアマットレスには、通常、使用者の下脚部が乗せられる（同下脚部領域参照）。脚ボトム１０３と下脚ボトム１０４との境界近傍のエアマットレスには、通常、使用者の膝裏が当てられる（同膝部領域参照）。なお、背部から骨盤部にわたる部分は、躯幹部とも呼ばれる。
【００３２】
エアマットレス１は、積層エアセル１０ａ〜１０ｄ及びエアセル２０を含む複数のエアセルを備える。エアマットレス１の一部の領域には、積層エアセル１０ａ、１０ｂ、１０ｃが、エアマットレス１の長手方向と平行に並設され、残りの領域には、積層エアセル１０ｄ及びエアセル２０が、エアマットレス１の短手方向と平行に並設されている。なお、各積層エアセル１０ａ〜１０ｄ及びエアセル２０の構造については後述する。
【００３３】
詳細には、エアマットレス１の頭部側（図１の上側）及び脚部側（図１の下側）の端部領域には、複数のエアセル２０がエアマットレス１の短手方向と平行に並設されている。また、腰ボトム１０２と脚ボトム１０３との境界近傍の領域（図２においては腰ボトム１０２側）、及び、脚ボトム１０３と下脚ボトム１０４との境界近傍の領域には、複数の積層エアセル１０ｄがエアマットレス１の短手方向と平行に並設されている。
【００３４】
背部領域、骨盤部領域及び大腿部領域、並びに下脚部領域の内側の領域には、複数の積層エアセル１０ａがエアマットレス１の長手方向と平行に並設されている。また、骨盤部領域及び大腿部領域、並びに下脚部領域の左右の両端部には、複数の積層エアセル１０ｂがエアマットレス１の長手方向と平行に並設されている。さらに、背部領域の左右の両端部には、積層エアセル１０ｃがエアマットレス１の長手方向と平行に並設されている。なお、各図に示す積層エアセル１０ａ〜１０ｄ及びエアセル２０の数は一例であり、各領域に配置されるこれらの数は、エアマットレス１のサイズや各エアセルのサイズに応じて適宜変更することができる。
【００３５】
次に、各種の積層エアセル１０ａ〜１０ｄ及びエアセル２０の構造について説明する。
図６は、積層エアセル１０ａ〜１０ｄの基本的な構造を説明するための模式図である。図７は、図６に示すエアセルの上面図である。図８は、同エアセルの底面図である。図９は、図６のＣ−Ｃ断面図である。図１０は、図６に示すエアセルが荷重されている状態のＣ−Ｃ断面図である。
【００３６】
図６〜図１０に示すように、積層エアセル１０は、内部にエアを封入することにより筒状に膨張するセル１１１、１２１、１２２、１３１、１３３を有する。このうち、セル１２１、１２２（第２及び第３のセル）は、セル１１１（第１のセル）の上面側となる領域に、セル１１１と平行且つ互いに隣り合うように取り付けられている。また、セル１３１、１３２（第４及び第５のセル）は、セル１１１の床側となる領域に、セル１１１と平行且つ互いに隣り合うように取り付けられている。以下、センターのセル１１１のことをメインセルともいう。また、上面側のセル１２１、１２２のことを、トップセルともいう。さらに、床側のセル１３１、１３２のセルのことを、ベースセルともいう。
【００３７】
本実施形態において、セル１１１、１２１、１２２、１３１、１３３は、ウレタン等の可撓性を有する樹脂材料からなるシート材により形成された３種の袋体１１、１２、１３により形成されている。袋体１１、１２、１３を構成する樹脂材料は、互いに同材料であっても良いし、異なる材料であっても良い。
【００３８】
メインセル１１１は、袋体１１により形成されている。袋体１１の両端には、積層エアセル１０をベッドフレームに固定したり、積層エアセル１０同士を連結したりするための固定部（例えばホック）１１２を設けても良い。
【００３９】
トップセル１２１、１２２は、袋体１２により一体的に形成されている。袋体１２は、エアを封入することにより筒状に膨張する形状をなし、長手方向と平行な略線状をなす溶着部１２３において袋体１１の上面側に取り付けられている。つまり、溶着部１２３は、袋体１２を袋体１１に接続すると共に、袋体１２の内部を２つの領域（セル１２１、１２２）に分離している。各セル１２１、１２２の径は、メインセル１１１の径よりも小さく、好ましくは１／３〜１／２程度となっている。各トップセル１２１、１２２は、メインセル１１１に対し、溶着部１２３を軸として回転方向に可動な状態になっている。
【００４０】
袋体１２の長手方向の両端と、溶着部１２３との間にはギャップ領域１２４が設けられている。このギャップ領域１２４により、トップセル１２１、１２２の間においてエアの流通が可能となる。これにより、積層エアセル１０に荷重がかかった場合であっても、各トップセル１２１、１２２の内圧はほぼ均等となる。
【００４１】
袋体１１と袋体１２との間には、エアの流通口が設けられている。図８に示すように、袋体１１にはエア供給口１２５が設けられており、エア供給口１２５からエアを注入することにより、袋体１１、１２にエアが充填される。なお、上述したように、トップセル１２１、１２２の間ではエアの流通が可能なので、上記エアの流通口は１箇所で良い。
【００４２】
ベースセル１３１、１３２は、袋体１３により一体的に形成されている。袋体１３は、エアを封入することにより筒状に膨張する形状をなし、長手方向と平行な略線状をなす溶着部１３３において袋体１１の床側に取り付けられている。つまり、溶着部１３３は、袋体１３を袋体１１に接続すると共に、袋体１３の内部を２つの領域（セル１３１、１３２）に分離している。各セル１３１、１３２の径は、セル１１１の径よりも小さく、好ましくは１／３〜１／２程度となっている。
【００４３】
袋体１３の長手方向の両端と、溶着部１３３との間にはギャップ領域１３４が設けられている。このギャップ領域１３４により、ベースセル１３１、１３２の間においてエアの流通が可能となる。これにより、積層エアセル１０に荷重がかかった場合であっても、各ベースセル１３１、１３２の内圧はほぼ均等となり、ベースセル１３１、１３２の径も概ね同じ状態が維持される。袋体１１、１２、１３全体にエアが封入されると、２つのベースセル１３１、１３２によってメインセル１１１及びトップセル１２１、１２３が支持される。
【００４４】
図８に示すように、袋体１３にはエア供給口１３５が設けられている。エア供給口１３５からエアを注入することにより、袋体１３にエアが充填される。袋体１１と袋体１３との間のエアの流通状態は、エアマットレス１における積層エアセル１０ａ〜１０ｄの具体的な配置や機能によって適宜設計すれば良い。
【００４５】
図９に示すように、積層エアセル１０に荷重がかかっていない状態では、メインセル１１１、トップセル１２１、１２２、及びベースセル１３１、１３２のいずれも、概ね円筒状に膨らんでいる。上述したように、袋体１１と袋体１３とは、溶着部１３３において、幅広い面ではなく概ね線状に接続されているため、積層エアセル１０に荷重がかかっていないとき、メインセル１１１に対して、ベースセル１３１、１３２は、溶着部１２３を軸として可動な状態となっている。これに対し、図１０に示すように、積層エアセル１０に荷重がかかると、メインセル１１１及びベースセル１３１、１３２の各々が扁平状に変形し、メインセル１１１とベースセル１３１、１３２とが面状に接するようになる。これらの接触面を介して、メインセル１１１が２つのベースセル１３１、１３２により支持される。
【００４６】
図１１は、積層エアセル１０における体圧分散の原理を説明するための模式図である。積層エアセル１０（及びこれと同様の構造を有する積層エアセル）によりエアマットレスを構成する場合、ベッドフレーム上に積層エアセル１０を並設し、図９に示すように、各積層エアセル１０を構成する袋体１１、１２、１３にエアを封入する。図１０に示すように、積層エアセル１０に荷重をかけると、図１１に示すように、２つのベースセル１３１、１３２によってメインセル１１１を支持するトラス構造が形成される。
【００４７】
積層エアセル１０に身体を乗せると、身体が直接接触するトップセル１２１、１２２と、これを支持するメインセル１１１に荷重Ｐ１がかかる。このとき、２つのベースセル１３１、１３２によって１つのメインセル１１１を支持するトラス構造が形成されているので、荷重Ｐ１が２つのベースセル１３１、１３２の方向に分散される（荷重Ｐ２、Ｐ３参照）。つまり、ベースセル１３１、１３２から受ける反力により、沈み込んだ身体が複数の方向から支持されるので、体圧を分散することができる。それにより、床ずれ防止効果を高めることができる。
【００４８】
図１２〜図１４は、積層エアセル１０の製造方法の一例を説明するための断面図である。まず、図１２に示すように、可撓性を有する樹脂材料（ウレタン等）からなるシート１４０の一端側の領域に、同様の樹脂材料からなる筒状のシート１４１を重ねる。筒状のシート１４１は、予め、２枚のシート１４１ａ、１４１ｂを重ね、両端（図の左右）同士を溶着することにより閉じておく。或いは、１枚のシートを２つ折りにし、重ね合わせられた端部を溶着することにより、筒状に成形しても良い。
【００４９】
続いて、図１３に示すように、シート１４０と筒状のシート１４１（シート１４１ａ、１４１ｂ）とを重ねたまま、筒状のシート１４１の長手方向に沿った細長い領域で溶着する。溶着方法としては、シート１４０、１４１を部分的に溶着することができれば特に限定されない。例えば、図１３に示すように、加熱した金型１４３、１４４によりシート１４０、１４１を挟み込む熱溶着を行っても良いし、高周波溶着を行っても良い。好ましくは、ピン溶着を行っても良い。この場合、溶着部の幅を容易に狭くすることができるので、トップセルやベースセルの可動域を増やせるという利点がある。
【００５０】
また、シート１４０の他端側の領域にも、同様に、筒状のシートを重ねて溶着する。
そして、図１４に示すように、シート１４０の両端側の領域に溶着された筒状のシート１４１が重なり合うように、シート１４０を２つ折りにし、シート１４０の端部を溶着することにより、シート１４０を筒状に成形する。さらに、筒状に成形されたシート１４０、及び、これに溶着された２つの筒状のシート１４１の開口を溶着して閉じる。このようにして袋状に成形されたシート１４０が袋体１１となり、一方のシート１４１が袋体１２となり、他方のシート１４１が袋体１３となる。なお、エア供給口１２５、１３５（図８参照）を取り付けるための開口や、袋体１１、１２の間でエアを流通させるための開口は予め形成しておく。
【００５１】
積層エアセル１０の製造方法は上記に限定されないが、シート１４０とシート１４１とを重ねて溶着する場合、各袋体１２、１３の内部空間を分離する作業と、袋体１２、１３を袋体１１に接続する作業とを一度に完了することができるという利点がある。
【００５２】
次に、エアマットレス１に配置される各種の積層エアセル１０ａ〜１０ｄ及びエアセル２０の構造について、具体的に説明する。積層エアセル１０ａ〜１０ｄは、基本的に、上述した積層エアセル１０と同様に、メインセルと、メインセルの上面側に２列に設けられたトップセルと、メインセルの床側に２列に設けられたベースセルとを備える。各積層エアセル１０ａ〜１０ｄの間では、トップセル及びベースセルの数や長さが異なっている。
【００５３】
図１５は、エアマットレス１の内側に配置される積層エアセル１０ａを示す上面図である。図１５に示すように、積層エアセル１０ａは、メインセルを構成する袋体１１ａと、トップセル１５１、１５２を構成する袋体１２ａ（１）と、トップセル１５３、１５４を構成する袋体１２ａ（２）と、ベースセルを構成する２つの袋体１３ａ（図３参照）とを有する。２つの袋体１２ａ（１）、１２ａ（２）は、それぞれ、略線状をなす溶着部１５５、１５６において袋体１１ａに接続されている。袋体１２ａ（１）と袋体１２ａ（２）との間では、袋体１１ａを介してエアが流通している。また、ベースセルを構成する２つの袋体１３ａも、それぞれ、袋体１１ａに溶着されている。
【００５４】
積層エアセル１０ａにおいては、トップセル１５１、１５２及びトップセル１５３、１５４を、互いに独立した袋体１２ａ（１）、１２ａ（２）によって形成するので、メインセルに対し、溶着部１５５、１５６を軸として、トップセル１５１、１５２及びトップセル１５３、１５４が互いに独立に動くことができる。つまり、トップセルを１つの袋体により一体的に形成する場合と比較して、各トップセルの動きの自由度が増す。
【００５５】
このような積層エアセル１０ａをエアマットレス１の内側に配置する理由は、以下のとおりである。使用者が側臥位を取った場合、肩や大転子、外踝部などの骨突出部がエアマットレスに当たるため、これらの部位に床ずれが発症し易い。また、身体にねじれが生じている場合には、仰臥位であっても外踝部がエアマットレスに当たるなど、通常とは異なる部位に床ずれが発症することもある。そこで、使用者が通常横たわるエアマットレス１の内側の領域に積層エアセル１０ａを配置することにより、メインセルよりも小さいトップセル１５１〜１５４により、身体の各骨突出部を包み込むように支持することができる。上述したように、トップセル１５１、１５２及びトップセル１５３、１５４は動きの自由度が高いため、身体の動きやねじれに応じてトップセル１５１、１５２及びトップセル１５３、１５４が柔軟に追従し、骨突出部を包み込むように支持した状態を維持することができる。
【００５６】
図２に示すように、骨盤部領域及び大腿部領域、並びに下脚部領域の左右の両端部に配置される積層エアセル１０ｂは、メインセルを構成する袋体１１ｂと、トップセルを構成する袋体１２ｂと、ベースセルを構成する袋体１３ｂとを有する。積層エアセル１０ｂの構造は、図６〜図８に示す積層エアセル１０と同様である。
【００５７】
背部領域の左右の両端部に配置される積層エアセル１０ｃは、メインセルを構成する袋体１１ｃと、トップセルを構成する１つの袋体１２ｃと、ベースセルを構成する２つの袋体１３ｃとを有する。袋体１２ｃの構成は、図７に示す袋体１２と同様である。他方、２つの袋体１３ｃは、図１５に示す袋体１２ａ（１）、１２ａ（２）と同様に、互いに独立に設けられている。積層エアセル１０ｃのように、背上げの際に湾曲するベッドボトム上に配置されるエアセルにおいては、互いに独立した複数の袋体１３ｃによってベースセルを構成することにより、背上げした際に積層エアセル１０ｃがベッドボトムに追従し易くなるという利点がある。
【００５８】
図４に示すように、腰部領域及び膝部領域に配置される積層エアセル１０ｄは、メインセルを構成する袋体１１ｄと、トップセルを構成する２つの袋体１２ｄと、ベースセルを構成する２つの袋体１３ｄとを有する。
【００５９】
ここで、一般には、背上げのためベッドボトム及びエアマットレスを立ち上げると、使用者の躯幹部が滑って前方（ベッドの足部側の方）にずれ易い。そこで、背上げをする際にベッドボトムが折れ曲がる領域近傍に、積層エアセル１０ｄをエアマットレス１の短手方向と平行に配置することにより、エアマットレス１がベッドボトムに追従して曲がり易くなる。また、積層エアセル１０ｄのトップ面には、メインセルよりも径が小さいトップセルが配置されているので、これらのトップセルにより使用者の姿勢が保持され、位置ずれ（前ずれ）を防止することができる。このように、使用者の姿勢を保持し、位置ずれを防止するために配置されるエアセルは、アンカーセルとも呼ばれる。
【００６０】
また、一般には、膝上げのためベッドボトムを山型に立ち上げると、使用者の下肢が腰の方向にずれ易い。そこで、脚ボトム１０３と下脚ボトム１０４の境界の両側にも、アンカーセルとして積層エアセル１０ｄを配置している。
【００６１】
積層エアセル１０ｄにおいて、トップセル及びベースセルを左右に分割して設ける理由は、以下のとおりである。ベッドフレームの中には、ベッドボトムを左右に分割し、左右のいずれかの一方のベッドボトムの側端部を立ち上げて傾斜させることにより、寝返りや起き上がりを補助する機能（体位変換機能と呼ばれる）が設けられているものがある。このようなベッドフレームに適用する場合、短手方向と平行に配置される積層エアセル１０ｄのトップセル及びベースセルを左右に分割することにより、エアマットレス１がベッドボトムに追従し易くなるという利点がある。
【００６２】
これらの積層エアセル１０ａ〜１０ｄのサイズは、エアマットレス１が適用されるベッドフレームに適合させることができれば特に限定されない。一例として、介護用ベッドにおいては、ベッドフレームの短手方向の長さが８５０ｍｍ又は９５０ｍｍのものが一般的であるので、これに適合するように、積層エアセル１０ｄの長手方向の長さＬｘ（図４参照）を８３０ｍｍ程度又は９３０ｍｍ程度にすると良い。また、エアマットレス１の長手方向に沿って配置される積層エアセル１０ａ、１０ｂ、１０ｃの長さＬｙ（図２参照）は、他のエアセル（積層エアセル１０ｄ、エアセル２０等）の幅や数などに応じて、例えば３５０〜４００ｍｍ程度にすると良い。積層エアセル１０ａ〜１０ｄの幅Ｗ（図９参照）は例えば７０〜８０ｍｍ程度、メインセル１１１の厚さＨ１は例えば７０〜８０ｍｍ程度、積層エアセル１０ａ〜１０ｄ全体の厚さＨ２は例えば１２０〜１５０ｍｍ程度にすると良い。
【００６３】
図１６は、頭部側及び下脚部側の端部領域に配置されるエアセル２０の断面図である。図１６に示すように、エアセル２０は、全体として１つの袋体２１からなる一般的な１気室のエアセルである。エアセル２０のサイズは、エアマットレスを使用するベッドフレームに適合させることができ、且つ、他の積層エアセル１０ａ〜１０ｄと整合可能なサイズであれば特に限定されない。一例として、エアセル２０の厚さＨ３を、積層エアセル１０ａ〜１０ｄの全体の厚さ（ベースセルの下端からトップセルの上端までの高さ）に合わせて、１２０〜１５０ｍｍ程度にすると良い。
【００６４】
袋体２１の内周面には、エアマットレスの床面と略平行な向きとなるように架け渡された膜状部材（所謂、釣り）２２が設けられている。膜状部材２２は、袋体２１の厚みの略半分の位置に溶着され、内周面のうち互いに対向する領域をつないでいる。このような膜状部材２２を設けることにより、エアセル２０に圧力がかかった場合であっても、エアセル２０が横方向に膨らむのを防ぎ、エアセル２０の厚さ方向における圧縮量を抑制することができる。
【００６５】
次に、エアマットレス１に配置される各エアセル内、及び複数のエアセル間における好ましいエアの流通状態について説明する。
ここで、汎用のエアマットレスにおいては、一般に、エアマットレス全体においてエアセル内のエアが互いに流通可能な状態となっている。従って、エアマットレス内のエアは、大きな荷重がかけられたエアセルから、あまり荷重がかけられていないエアセルに容易に移動する。そのため、躯幹部や大腿部のように身体の重い部分が乗せられた領域が大きく沈み込み、その分、頭部側、脚部側、又は左右の端部領域が大きく膨らむという状態になり易い。それにより、ハンモック現象や底付きが発生してしまうことがある。
【００６６】
これに対し、本実施形態においては、個々の積層エアセル１０ａ〜１０ｄの構造によりハンモック現象や底付きの発生リスクを抑制すると共に、エアマットレス１を複数の領域に分け、領域ごとにエアの流通状態を決定することにより該リスクを低減している。基本的な考え方としては、エアマットレス１を、大きな荷重がかかり易い領域（即ち、躯幹部や大腿部が乗る内側の領域）と、大きな荷重がかかることの少ない領域（即ち、頭部側、脚部側、及び左右の端部領域）とに分け、大きな荷重がかかり易い領域では他の領域との間でのエアの流通を遮断し、当該領域内のみでエアを流動させる。
【００６７】
躯幹部領域及び大腿部領域に配置される積層エアセル１０ａには、荷重が集中し易い。そのため、各積層エアセル１０ａにおいては、メインセル（袋体１１ａ）及びトップセル（袋体１２ａ）と、ベースセル（袋体１３ａ）との間でエアの流通を遮断することが好ましい。そして、メインセル及びトップセルにおいては内圧を比較的低く保ち、使用者の身体を沈み込ませると共に、径の小さい複数のトップセルにより広い面積で包み込むように身体を支持する。他方、ベースセルには十分な内圧のエアを充填することにより、底付きを防止すると共に、トラス構造（図１１参照）を形成することによって体圧を分散させる。
【００６８】
また、躯幹部領域に配置される積層エアセル１０ａ、１０ｄの間では、ベースセル同士でエアを流通させることとしても良い。この場合、各ベースセルへのエアの供給経路を簡素化することができる。
【００６９】
また、躯幹部領域及び大腿部領域においては、エアマットレス１の長手方向に並ぶ積層エアセル１０ａの間で、メインセル及びトップセル（即ち、袋体１１、１２）のエアを互いに流通させても良い。具体的には、図１に示す積層エアセル１０ａ（１）と積層エアセル１０ａ（１）’との間で、メインセル及びトップセルのエアを流通させる。また、積層エアセル１０ａ（２）と積層エアセル１０ａ（２）’との間で、メインセル及びトップセル（同上）のエアを流通させる。その他の積層エアセル１０ａについても同様である。これにより、積層エアセル１０ａ（１）及び積層エアセル１０ａ（１）’全体で、圧のバランスを取ることができる。例えば、仰臥位から背上げをして、使用者の体重が骨盤部に集中すると、積層エアセル１０ａ（１）の一部に大きな荷重がかかるため、その部分のエアが長手方向に並ぶ積層エアセル１０ａ（１）’に逃げようとする。しかし、積層エアセル１０ａ（１）’には身体の別の部分により荷重がかかっているため、結局、使用者の骨盤部が極端に沈み込むことはない。そのようにして、身体の極端な沈み込みを抑制し、ハンモック現象を防ぐことができる。つまり、積層エアセル１０ａ（１）及び積層エアセル１０ａ（１）’において、身体が伸びる方向に沿って圧を適切に再分配することができる。
【００７０】
なお、長手方向に並んだ積層エアセル間でエアを流通させない場合であっても、エアマットレス１の長手方向と平行に並設された個々の積層エアセルにおいて、使用者の身体が伸びる方向に沿って、上述した圧の再分配作用は生じている。
【００７１】
エアマットレス１の左右の端部領域に配置される１０ｂ、１０ｃ、及び、アンカーセルとして配置される積層エアセル１０ｄにおいては、メインセル、トップセル、及びベースセルの間でエアを流通させて１気室にしても良い。さらに、これらの積層エアセル１０ｂ〜１０ｄ及びエアセル２０の間でエアを流通させ、内圧を、積層エアセル１０ａのメインセル及びトップセルの内圧よりも高めに維持しても良い。それにより、これらのエアセルへのエアの供給経路を簡素化することができると共に、使用者の体位を変換する際の介助がし易くなる。
【００７２】
以上説明したように、本発明の第１の実施形態によれば、メインセルの上面側にメインセルよりも径が小さいトップセルを設けるので、各積層エアセルにおいて、身体の各部を広い面積で包み込むように支持することができる。特に、本実施形態においては、トップセルを、幅広い面状ではなく略線状にメインセルに取り付けるので、略線状の取付領域（溶着部）を軸として、メインセルに対するトップセルの可動域を広げることができる。それにより、トップセルが、積層エアセルに乗せられる身体の部位や状態に柔軟に追従して、各部を広い面積で包み込むように支持した状態を維持することができ、身体の各部への接触圧を低減し、良好な床ずれ防止効果を得ることができる。つまり、本実施形態においては、単にエアセル内を低圧にして身体を沈み込ませることで身体への接触圧を低減するのではなく、複数のセルにより身体を包み込むように支持することで接触圧を低減させているので、低圧のエアセルに身体の一部が局所的に沈み込み、ハンモック現象により接触圧がむしろ高くなるといった事態を防ぐことができる。また、図１５に示す積層エアセル１０ａのように、長手方向においてトップセルの連続性を断つ場合には、分断された各トップセルの動きの自由度が広がるので、さらに身体に追従し易くなる。
【００７３】
また、本発明の第１の実施形態によれば、各積層エアセルにおいて、２つのベースセルによってメインセルを支持するトラス構造を形成するので、トップセル及びメインセルにかかる荷重を２つのベースセルの方向に分散することができる。それにより、体圧を分散し、床ずれ防止効果を向上させることが可能となる。
【００７４】
また、本発明の第１の実施形態によれば、メインセル及びトップセルとベースセルとの間でエアを遮断することにおり、積層エアセルの一部に局所的な荷重がかかったり、メインセル及びトップセルの内圧が低下したりした場合であっても、ベースセルによってメインセル及びトップセルを支持し、底付きを防ぐことができる。
【００７５】
また、本発明の第１の実施形態によれば、このようなベースセル、メインセル、及びトップセルの３層からなる積層エアセルを、エアマットレスの一部の領域に、エアマットレスの長手方向と平行に並設しているので、使用者の身体を、身体が伸びる方向に沿って広い面積で支持することができる。また、概ね身体が伸びる方向に沿って配置された積層エアセルにおいては、当該方向に沿って圧を再配分することができる。従って、積層エアセルの一部に大きな荷重がかかった場合でも、積層エアセルの局所的な沈み込みを抑制し、ハンモック現象や底付きを防止して、安全且つ安心してエアマットレスを使用することが可能となる。
【００７６】
本発明の第１の実施形態によれば、使用者の体形や好みの体位によって様々な部位に生じ得る床ずれを防止又は抑制することができると共に、治療の過程で実施され様々な体位（例えば、３０度を超える背上げ）も安全且つ安心してサポートすることができる。
【００７７】
（第２の実施形態）
図１７は、本発明の第２の実施形態に係るエアマットレスを示す上面図である。図１８は、図１７のＤ−Ｄ断面図である。図１７及び図１８に示すように、本実施形態に係るエアマットレス２は、上記第１の実施形態に係るエアマットレス１に対し、背部領域及び下脚部領域の内側に配置される積層エアセル１０ａを、積層エアセル１０ｅに変更したものである。
【００７８】
図１９は、積層エアセル１０ｅを示す上面図である。図１９に示すように、積層エアセル１０ｅは、メインセルを構成する袋体１１ｅと、複数のトップセル１７１を構成する袋体１２ｅと、ベースセルを構成する２つの袋体１３ｅ（図１８参照）とを有する。袋体１２ｅは、くびれ１７２により複数（図１９においては３つ）の領域１７３に分けられており、略線状をなす３箇所の溶着部１７４において袋体１１ｅに接続されている。複数の領域１７３の間では、メインセルに対し、トップセル１７１が溶着部１７４を軸に互いにほぼ独立に動くことができる。また、３つの領域１７３の間ではエアが流通していると共に、袋体１２ｅと袋体１１ｅとの間でもエアが流通している。ベースセルを構成する２つの袋体１３ｅは、それぞれ、袋体１１ｅに溶着されている。
【００７９】
ここで、背部領域や下脚部領域に乗せられる身体部分には、肩やひじ、手首、膝、踝、踵など多様な骨突出部が存在し得る。そこで、これら領域に積層エアセル１０ｅを配置することにより、複数のトップセル１７１が使用者の体形や体位にフレキシブルに追従し、骨突出部を広い面積で包み込むように支持することができる。
【００８０】
また、複数のトップセル１７１は、袋体１２ｅにより一体的に形成されているので、積層エアセル１０ｅの製造工程を簡素化することができる。複数のトップセル１７１とメインセルとの間のエアの流通口は、袋体１２ｅに１箇所のみ設ければ良いので、積層エアセル１０ｅの構造も簡素化することができる。
【００８１】
躯幹部領域及び大腿部領域に配置される積層エアセル１０ａ、１０ｅの間では、第１の実施形態と同様にエアを流通させても良い。具体的には、エアマットレス２の長手方向に並んだ２つの積層エアセル１０ａ（１）、１０ｅ（１）の間でメインセル及びトップセルのエアを流通させる。また、２つの積層エアセル１０ａ（２）、１０ｅ（２）の間でメインセル及びトップセルのエアを流通させる。その他の積層エアセル１０ａ、１０ｅについても同様である。これにより、積層エアセル１０ａの一部に大きな荷重がかかった場合であっても、長手方向に並んだ積層エアセル１０ａ、１０ｅにおいて圧を再分配し、ハンモック現象や底付きを防ぐことができる。
【００８２】
以上説明した第１及び第２の実施形態においては、エアマットレスの一部に積層エアセルをエアマットレスの長手方向と平行に並設する態様を説明したが、エアマットレスの全領域に積層エアセルをエアマットレスの長手方向と平行に並設しても良い。この場合、積層エアセルの長さを、ベッドボトムを構成する各ボトム（背ボトム、腰ボトム等）の長さに合わせて設定することが好ましい。それにより、背上げや膝上げをした際に、ベッドボトムの形状に追従してエアマットレスが容易に変形するので、背上げや膝上げをした状態でも安定して使用者の身体を保持することが可能となる。
【００８３】
また、上記第１及び第２の実施形態においては、２列に並ぶトップセルを１つの袋体により一体的に形成したが、各トップセルを別々の袋体により形成しても良い。この場合においても、各トップセルを略線状の領域においてメインセルに取り付けることが好ましい。ベースセルについても同様である。
【００８４】
また、上記第１及び第２の実施形態においては、積層エアセルにベースセルを設けることとしたが、ベースセルは必須ではなく、メインセル及びトップセルだけでも、従来よりも高い床ずれ防止効果を得ることができる。しかしながら、ベースセルを設けることにより、床ずれ防止効果を一層高めることができるという利点がある。
【００８５】
以上説明した本発明は、上記第１及び第２の実施形態に限定されるものではなく、上記第１及び第２の実施形態に開示されている複数の構成要素を適宜組み合わせることによって、種々の発明を形成することができる。例えば、第１及び第２の実施形態に示した全構成要素からいくつかの構成要素を除外して形成しても良いし、第１及び第２の実施形態に示した構成要素を適宜組み合わせて形成しても良い。
【符号の説明】
【００８６】
１  エアマットレス
１０、１０ａ〜１０ｅ  積層エアセル
１１、１１ａ〜１１ｅ、１２、１２ａ〜１２ｅ、１３、１３ａ〜１３ｅ、２１  袋体
２０  エアセル
２２  膜状部材
１００  ベッドボトム
１０１  背ボトム
１０２  腰ボトム
１０３  脚ボトム
１０４  下脚ボトム
１１１  セル（メインセル）
１１２  固定部
１１３  エア供給口
１２１、１２２  セル（トップセル）
１２３、１３３、１７４  溶着部
１２４、１３４  ギャップ領域
１２５、１３５  エア供給口
１３１  セル（ベースセル）
１４０、１４１、１４１ａ、１４１ｂ  シート
１４３、１４４  金型
１５１〜１５４、１７１  トップセル
１５５  溶着部
１７２  くびれ
１７３  領域
【図１】
2019136202.tif 000003
【図２】
2019136202.tif 000004
【図３】
2019136202.tif 000005
【図４】
2019136202.tif 000006
【図５】
2019136202.tif 000007
【図６】
2019136202.tif 000008
【図７】
2019136202.tif 000009
【図８】
2019136202.tif 000010
【図９】
2019136202.tif 000011
【図１０】
2019136202.tif 000012
【図１１】
2019136202.tif 000013
【図１２】
2019136202.tif 000014
【図１３】
2019136202.tif 000015
【図１４】
2019136202.tif 000016
【図１５】
2019136202.tif 000017
【図１６】
2019136202.tif 000018
【図１７】
2019136202.tif 000019
【図１８】
2019136202.tif 000020
【図１９】
2019136202.tif 000021
【手続補正書】
【提出日】平成30年3月30日(2018.3.30)
【手続補正１】
【補正対象書類名】特許請求の範囲
【補正対象項目名】全文
【補正方法】変更
【補正の内容】
【特許請求の範囲】
【請求項１】
複数の積層エアセルであって、各積層エアセルが、
可撓性を有する樹脂材料からなるシート材により形成され、内部にエアを封入することにより筒状に膨張する第１のセルと、
可撓性を有する樹脂材料からなるシート材により形成され、内部にエアを封入することにより筒状に膨張する第２及び第３のセルであって、前記第１のセルの外周面のうち、当該エアマットレスにおいて上面側となる領域に、前記第１のセルと平行且つ互いに隣り合うように取り付けられた第２及び第３のセルと、
を有する複数の積層エアセルを含む複数のエアセルを備え、
前記複数の積層エアセルが、当該エアマットレスの少なくとも一部の領域に、該エアマットレスの長手方向と平行に並設されている、エアマットレス。
【請求項２】
前記第２及び第３のセルは、該第２及び第３のセルの長手方向に沿って設けられた略線状の領域において前記第１のセルに取り付けられている、請求項１に記載のエアマットレス。
【請求項３】
当該エアマットレスの長手方向に、２つ以上の前記積層エアセルが並べられている、請求項１又は２に記載のエアマットレス。
【請求項４】
前記複数の積層エアセルのうち少なくとも一部の積層エアセルの各々において、
前記第２及び第３のセルは、前記シート材を袋状に成形した袋体により一体的に形成され、
前記第１のセルの前記上面側となる領域に、前記袋体が当該積層エアセルの長手方向に沿って並べて取り付けられている、
請求項１〜３のいずれか１項に記載のエアマットレス。
【請求項５】
前記複数の積層エアセルのうち少なくとも一部の積層エアセルの各々において、
前記第２及び第３のセルが当該積層エアセルの長手方向に沿って複数ずつ並べて設けられ、該複数ずつ並べて設けられた前記第２及び第３のセルは、前記シート材を袋状に成形した袋体により一体的に形成されている、請求項１〜３のいずれか１項に記載のエアマットレス。
【請求項６】
前記複数の積層エアセルのうち少なくとも一部の積層エアセルの各々は、
可撓性を有する樹脂材料からなるシート材により形成され、内部にエアを封入することにより筒状に膨張する第４及び第５のセルであって、前記第１のセルの外周面のうち、当該エアマットレスにおいて床側となる領域に、前記第１のセルと平行且つ互いに隣り合うように取り付けれた第４及び第５のセルをさらに有し、
前記第１〜第５のセルにエアが封入された際に、前記第４及び第５のセルによって前記第１、第２、及び第３のセルが支持される、
請求項１〜５のいずれか１項に記載のエアマットレス。
【請求項７】
前記第４及び第５のセルは、該第４及び第５のセルの長手方向に沿って設けられた略線状の領域において前記第１のセルに取り付けられている、請求項６に記載のエアマットレス。
【請求項８】
前記第１のセルと前記第４及び第５のセルとの間において、エアの流通が遮断され、
前記第４のセルと前記第５のセルとの間において、エアの流通が可能である、
請求項６又は７に記載のエアマットレス。
【請求項９】
当該エアマットレスの長手方向の略中央部から頭部側に位置する第１の領域と、前記中央部から脚部側に位置する第２の領域との各々に、前記複数の積層エアセルが、前記エアマットレスの長手方向と平行に並設されている、
請求項１〜８のいずれか１項に記載のエアマットレス。
【手続補正３】
【補正対象書類名】明細書
【補正対象項目名】０００６
【補正方法】変更
【補正の内容】
【０００６】
【特許文献１】特開２００２−２３８７０６号公報
【特許文献２】特開２００２−１２６０１３号公報
【手続補正書】
【提出日】平成30年8月17日(2018.8.17)
【手続補正１】
【補正対象書類名】特許請求の範囲
【補正対象項目名】全文
【補正方法】変更
【補正の内容】
【特許請求の範囲】
【請求項１】
複数の積層エアセルであって、各積層エアセルが、
可撓性を有する樹脂材料からなるシート材により形成され、内部にエアを封入することにより筒状に膨張する第１のセルと、
可撓性を有する樹脂材料からなるシート材により形成され、内部にエアを封入することにより筒状に膨張する第２及び第３のセルであって、前記第１のセルの外周面のうち、当該エアマットレスにおいて上面側となる領域に、前記第１のセルと平行且つ互いに隣り合うように取り付けられた第２及び第３のセルと、
を有し、
前記第２及び第３のセルは、該第２及び第３のセルの長手方向に沿って設けられた１列の略線状の領域において前記第１のセルに取り付けられ、
前記第２及び第３のセルは前記第１のセルに対し、前記１列の略線状の領域を軸として可動である、複数の積層エアセルを含む複数のエアセルを備え、
前記複数の積層エアセルが、当該エアマットレスの少なくとも一部の領域に、該エアマットレスの長手方向と平行に並設されている、エアマットレス。
【請求項２】
当該エアマットレスの長手方向に、２つ以上の前記積層エアセルが並べられている、請求項１に記載のエアマットレス。
【請求項３】
前記複数の積層エアセルのうち少なくとも一部の積層エアセルの各々において、
前記第２及び第３のセルは、前記シート材を袋状に成形した袋体により一体的に形成され、
前記第１のセルの前記上面側となる領域に、前記袋体が当該積層エアセルの長手方向に沿って並べて取り付けられている、
請求項１又は２に記載のエアマットレス。
【請求項４】
前記複数の積層エアセルのうち少なくとも一部の積層エアセルの各々において、
前記第２及び第３のセルが当該積層エアセルの長手方向に沿って複数ずつ並べて設けられ、該複数ずつ並べて設けられた前記第２及び第３のセルは、前記シート材を袋状に成形した袋体により一体的に形成されている、請求項１又は２に記載のエアマットレス。
【請求項５】
前記複数の積層エアセルのうち少なくとも一部の積層エアセルの各々は、
可撓性を有する樹脂材料からなるシート材により形成され、内部にエアを封入することにより筒状に膨張する第４及び第５のセルであって、前記第１のセルの外周面のうち、当該エアマットレスにおいて床側となる領域に、前記第１のセルと平行且つ互いに隣り合うように取り付けれた第４及び第５のセルをさらに有し、
前記第１〜第５のセルにエアが封入された際に、前記第４及び第５のセルによって前記第１、第２、及び第３のセルが支持される、
請求項１〜４のいずれか１項に記載のエアマットレス。
【請求項６】
前記第４及び第５のセルは、該第４及び第５のセルの長手方向に沿って設けられた略線状の領域において前記第１のセルに取り付けられている、請求項５に記載のエアマットレス。
【請求項７】
前記第１のセルと前記第４及び第５のセルとの間において、エアの流通が遮断され、
前記第４のセルと前記第５のセルとの間において、エアの流通が可能である、
請求項５又は６に記載のエアマットレス。
【請求項８】
当該エアマットレスの長手方向の略中央部から頭部側に位置する第１の領域と、前記中央部から脚部側に位置する第２の領域との各々に、前記複数の積層エアセルが、前記エアマットレスの長手方向と平行に並設されている、
請求項１〜７のいずれか１項に記載のエアマットレス。